(57)【要約】      （修正有）【課題】冷房・暖房の電気消費量の節約を図った二重壁構造を提供する。【解決手段】ＲＣ壁の外側に断熱材４に銀紙を二重に貼り合わせ、更に空気層５を設けその空気層材にも二重の銀紙を貼り合わせる。その外側に外装材７を固定手段で固定させ、ＲＣ壁に打ち込み外装タイル等で仕上げる。空気層の上、下にガラリボックス１を壁に連接して取り付け空気層からの空気をガラリボックスの羽根２をモーター３の揺動により開閉することにより、下部からの空気を上方に流し排気することにより夏期は壁面の温度を下げ、冬期はガラリを閉じることで空気層内の温度を上げ外壁の温度を遮断する。【選択図】図１
2005264685.tif 000002
【特許請求の範囲】
【請求項１】
ＲＣコンクリート壁、外側全体に両面に銀紙を貼り付けた。断熱材を壁全体に設け、その中間に空気の流通路を壁面全体に設け、太平板をＲＣ壁に二重ネジ、ホールインアンカーピンで固定手段で固定させ、外側にタイル等を太平板に接圧剤を塗り外壁を仕上げる構成となっていますが。中間層に設けた空気の流れは、ガラリボックスを壁面の下端と上端面に壁に連続して設けることにより、夏場の壁の表面温度を中間層である空気路よりガラリボックスの羽根をモーターの差動で明け熱を逃がすことにより、内部の温度を下げることが出来る。また、冬場の低い表面温度を中間空気層のガラリボックスの羽根をモーターの差動で閉じることにより、中間空気層壁の温度が暖まり、内部への温度が上る。また冷房、暖房の電気消費量が節約出来る効果、作用の特徴を有する二重壁構造。
【発明の詳細な説明】
【技術分野】
【０００１】本発明は一般住宅、及び事務所ビル、マンション等の壁断熱により、冷房、暖房の電気消費量の省エネルギーを図った二重壁構造に関する。
【背景技術】
【０００２】従来の建物では、（ＲＣコンクリート造）躯体壁の外側には、直接外装タイル等を施工してある。また、ＧＬボンド等で内装材を仕上げ断熱材等は、使用されていない為に外気温度を直接壁面に熱伝達を受けやすかった。
【発明の開示】
【発明が解決しようとする課題】
【０００３】以上述べた従来のＲＣ、コンクリート造構造体では直接外気温度が壁に伝達されるのが大きく、室内の温度が外気温度を受けやすかった。【０００４】本発明は、このような従来の構成を有していた、問題を解決しようとするものであり、外部からの気温を夏場２８℃〜３０℃熱気温度、冬場−６℃〜−１０℃寒気温度を効果的に温度を遮断し、冷房、暖房の電気消費量を節約することを目的とした。
【課題を解決するための手段】
【０００５】そして、本発明は上記を目的を達成するために、ＲＣ壁の外側に断熱材に銀紙を二重に貼り合わせ、また空気層を設けその空気層材にも二重の銀紙を貼り合せる。その外側に外装材を固定手段で固定させ、ＲＣ壁に打ち込み止めて、外装タイル等で仕上げる。前記空気層の上、下にガラリボックスを壁に連続して取り付け空気層からの空気をガラリボックスの羽根をモーターの養動により、開、閉ることにより、下部からの空気を上方向きに流れ排気することにより、夏場の熱い表面温度約８０℃の壁面を下げることが出来る。また冬場は−６℃、寒い温度をルーバをモーターの差動でガラリを閉じることにより空気層内の温度が上がり直接外壁の温度が遮断され室内に伝達されにくい。
【発明の効果】
【０００６】上記したように、本発明の二重壁構造は、夏場の熱い温度約８０度の表面壁温度を、二重壁構造により遮断することにより、室内温度を下げることが出来る。また冬場−６℃〜−１０℃の寒気の低い温度を二重壁構造にして空気を遮断することより、室内温度を上げることが出来るとともに室内の湿度、結露、ダニ、等を防ぐことが出来。冷房、暖房、等の電気消費量を節約することが出来る。【０００７】以下、本発明の実施の形態を図１〜図９に基づいて説明する。【０００８】図において記名ヶ所の説明▲１▼は空気を取り入り口または、排気出口の働きをする吸気、排気をする出入り口（ルーバー、ガラリボックス）▲２▼はルーバーの羽根を水平に開くことにより空気が外に流れる閉じることにより空気の流れが止まる働きをする。▲３▼は、ルーバーの羽を水平にする、または、垂直に作動する働きをするモーター。▲４▼は断熱材を両面に銀紙を貼り合わせしてある厚み３５ｍｍ〜５０ｍｍの断熱材である。▲５▼は空気が流れる、空気層で厚みが３６ｍｍから成ってをり両面に銀紙を張り合せてある外装表面の熱を遮断する働きをする。▲６▼は断熱材等を押さえ込む、外壁としての太平板です。▲７▼は外壁材、タイル、吹付等の仕上げ材です。▲８▼は、図６の通り外壁固定手段としての、二重ネジ、ホールイアンカーピンです。【０００９】上記構成の動作を説明する。▲１▼は断面の成形は正方形から成り、高さ７０ｍｍ／ｍｍ、巾が７０ｍｍ／ｍｍで、長さが９００ｍｍ／ｍｍで材質は加工しやすいアルミ製である。空気を吸引したり、排気したり、働きをする、吸気、排気の空気の流れをする機能の働きをする取入れ口です。▲２▼はルーバーの羽根を水平にして開くことにより、空気層の厚さ３６ｍｍ／ｍｍの中を空気が上に流れ、排気されることのよって外壁表面熱温度が遮断される。また、ルーバーの羽根をスイッチの差動で垂直にしてルーバー羽根を閉じることによって空気層内の空気の流れをとめることにより、寒気外気−１０：００度〜−５：００度の表面温度を遮断することにより室内温度を一定に保って少ない消費電力で暖房になる。▲３▼はＮｏ５図で説明しますと、▲３▼のモーターがあり、▲イ▼の歯車１０Φが回転して▲ロ▼の歯車１５Φに差動します。▲ハ▼の歯車を回すことによって、▲ホ▼の中心棒が回転することにより▲ニ▼の先に下のルーバー羽根二枚を差動させるために、ナットで厚み２ｍｍ／ｍｍの平棒状止め、上の羽根と下の羽根を繋ぐことによって三枚の羽根がスイッチを押すことにより、同じに水平になったり、垂直に差動します。▲４▼は厚さ３５ｍｍ／ｍｍ〜５０ｍｍ／ｍｍの断熱材で両面を銀紙で貼り付けしてあり、表面温度、熱を遮断する壁の働きが有ります。▲５▼は空気層である（ダンプレート材）で厚みが３５ｍｍ／ｍｍ有り、両面を銀紙を貼り付けして有り、空気層の中を流れることにより、壁の表面、熱温度を外に排がす働きをして、熱を遮断します。また、冷気温度をルーバーの羽根を垂直にすることにより空気層内の温度が上がり、冷気を遮断することが出来ます。このルーバー、ガラリボックスをパラペット下端に連続して取り付けします。窓等はサッシ上端に取り付け、基礎上端に連続して取り付けすることによ��、外壁の表面温度を遮断する目的です。▲６▼は外壁としての太平板です。断熱材、及び空気層材を押さえ込む働きをします。▲７▼は仕上げ材で、外装タイル、または吹き付け材です。▲８▼は６図の固定手段で、固定させた二重壁構造材を押さえ込みした、二重ネジ、ホールイアンカーピンです。【００１０】上記第１の課題解決手段による作用は次の通りである。すなわち、ガラリボックスから空気を吸入して、壁全体の空気層の中を流れることによって、夏場の壁の表面温度の高い熱をガラリボックス、ルーバー羽根から排出するように形成した排気出口を設け空気層の内側には断熱材に銀紙を両面に貼りつけた材料組込むことにより、ＲＣ壁、室内への熱の伝わりを抑えることが出来る。また、吸気、排気、ガラリボックスを窓サッシ下端、上端及び基礎の上端面とパラペット下端の壁に連続して取付けることにより、また、冬場の外気温度の低い温度をガラリボックス、ルーバー羽根をモーターの差動で閉めることにより、空気層内の温度が上り室内の温度が外気よりも暖まり、また、外気を空気層で遮断することにより、冷房、暖房の電気消費量が節約出来る。
【図面の簡単な説明】
【００１１】
【図１】本説明の実施形態を示すガラリボックス機の基礎上端面に連続して取付と二重壁構造断面図です。
【図２】同ガラリボックス機のパラペット下端壁に連続して取付けした二重壁構造の断面図です。
【図３】サッシュ窓廻り上端、下端壁面にガラリボックス機を取付けした、二重壁構造の断面図です。
【図４】ガラリボックス機と二重壁構造の平面図です。
【図５】▲イ▼は、窓サッシュ下端にガラリボックスとモーター取付及び二重壁構造取付平面図です。▲ロ▼は、窓サッシュ下端にガラリボックスと組合せ取付した、二重壁構造の断面図
【図６】▲イ▼は、二重ネジ、ホルイアンカーピン止と二重壁構造の平面図です。▲ロ▼は、二重ネジ、ホルイアンカーピン止と二重壁構造の平面図です。
【図７】屋上スラブ、二重スラブ断熱材敷込断面図です。
【図８】建築物立面図と壁面に取付した、連続ガラリボックス取付図です。
【符号の説明】
【００１２】▲１▼ガラリボックスより外部に空気を吸気または排気することにより、壁の表面温度を上げたり下げたりすることができる。▲２▼羽根をモーターの差動で開け、閉めする。▲３▼また、ガラリボックスの羽根を差動させるモーターです。▲４▼さらに断熱材により、熱を遮断、断熱する。▲５▼は、外部の気温、及び外壁熱を遮断して、空気層により外部に熱を逃す働きをする。▲６▼太平板▲７▼外装化したタイルです。▲８▼は、二重ネジ、ホールイアンカーピンで二重壁材を押え、ＲＣコンクリート壁に打込み止める働きをする。
【選択図】
図３図５図６
【図１】
2005264685.tif 000003
【図２】
2005264685.tif 000004
【図３】
2005264685.tif 000005
【図４】
2005264685.tif 000006
【図５】
2005264685.tif 000007
【図６】
2005264685.tif 000008
【図７】
2005264685.tif 000009
【図８】
2005264685.tif 000010